(57)【要約】  本発明に係る移動通信方法は、無線基地局２０２配下のセルにおいて待ち受けを行っている移動局３００が、交換局５００に対して、移動局の識別情報及び特定識別情報を送信する工程と、交換局５００が、特定識別情報を受信した場合に、受信した移動局の識別情報及び第２無線基地局の識別情報をサービス制御局６００に対して送信する工程と、サービス制御局６００が、移動局の識別情報及び第２無線基地局の識別情報に基づいて、移動局３００の無線基地局２００に対するアクセス権の有無を判定する工程と、移動局３００が、当該アクセス権を有していると判定された場合、交換局５００が、無線基地局２００において用いられる無線通信用パラメータを変更するように指示する工程とを有する。
2009145304.tif 000002
【特許請求の範囲】
【請求項１】
第１無線基地局配下のセルにおいて待ち受けを行っている移動局が、交換局に対して、該移動局の識別情報及び特定識別情報を送信する工程Ａと、
前記交換局が、前記特定識別情報を受信した場合に、受信した前記移動局の識別情報及び第２無線基地局の識別情報を、サービス制御局に対して送信する工程Ｂと、
前記サービス制御局が、受信した前記移動局の識別情報及び前記第２無線基地局の識別情報に基づいて、該移動局の該第２無線基地局に対するアクセス権の有無を判定する工程Ｃと、
前記移動局が、前記第２無線基地局に対するアクセス権を有していると判定された場合、前記交換局が、該第２無線基地局に対して、該第２無線基地局において用いられる無線通信用パラメータを変更するように指示する工程Ｄとを有することを特徴とする移動通信方法。
【請求項２】
前記工程Ｂにおいて、
前記交換局は、前記第２無線基地局が前記第１無線基地局の周辺基地局であるか否かについて判定し、
前記交換局は、前記第２無線基地局が前記第１無線基地局の周辺基地局であると判定した場合に、前記移動局の識別情報及び前記第２無線基地局の識別情報を前記サービス制御局に対して送信し、
前記交換局は、前記第２無線基地局が前記第１無線基地局の周辺基地局でないと判定した場合に、前記移動局に対して、特定ガイダンスを送信することを特徴とする請求項１に記載の移動通信方法。
【請求項３】
前記工程Ｂにおいて、前記交換局は、前記特定識別情報を受信した場合に、受信した前記移動局の識別情報、及び、該特定識別情報或いは前記第１無線基地局の識別情報に対応する前記第２無線基地局の識別情報を、前記サービス制御局に対して送信することを特徴とする請求項１に記載の移動通信方法。
【請求項４】
前記工程Ｄにおいて、前記交換局は、前記第２無線基地局に対して、該第２無線基地局において用いられる無線通信用パラメータを、前記第１無線基地局において用いられている無線通信用パラメータと同じにするように指示することを特徴とする請求項１に記載の移動通信方法。
【請求項５】
前記無線通信用パラメータは、拡散コード、周波数、或いは、時間タイミングの少なくとも１つであることを特徴とする請求項１に記載の移動通信方法。
【請求項６】
前記特定識別情報は、特定電話番号、「ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）」による特定サービスコード、特定ＵＲＬ、或いは、特定メールアドレスであることを特徴とする請求項１に記載の移動通信方法。
【請求項７】
第１無線基地局配下のセルにおいて待ち受けを行っている移動局から、特定識別情報を受信した場合に、受信した前記移動局の識別情報及び第２無線基地局の識別情報を、サービス制御局に対して送信するように構成されており、
前記サービス制御局から、前記移動局の前記第２無線基地局に対するアクセス権の有無についての判定結果を受信し、前記移動局が前記第２無線基地局に対するアクセス権を有していると判定された場合、該第２無線基地局に対して、該第２無線基地局において用いられる無線通信用パラメータを変更するように指示するように構成されていることを特徴とする交換局。
【請求項８】
前記第２無線基地局が前記第１無線基地局の周辺基地局であるか否かについて判定するように構成されており、
前記第２無線基地局が前記第１無線基地局の周辺基地局であると判定した場合に、前記移動局の識別情報及び前記第２無線基地局の識別情報を前記サービス制御局に対して送信するように構成されており、
前記第２無線基地局が前記第１無線基地局の周辺基地局でないと判定した場合に、前記移動局に対して、特定ガイダンスを送信するように構成されていることを特徴とする請求項７に記載の交換局。
【請求項９】
前記特定識別情報を受信した場合に、受信した前記移動局の識別情報、及び、該特定識別情報或いは前記第１無線基地局の識別情報に対応する前記第２無線基地局の識別情報を、前記サービス制御局に対して送信するように構成されていることを特徴とする請求項７に記載の交換局。
【請求項１０】
前記第２無線基地局に対して、該第２無線基地局において用いられる無線通信用パラメータを、前記第１無線基地局において用いられている無線通信用パラメータと同じにするように指示するように構成されていることを特徴とする請求項７に記載の交換局。
【請求項１１】
前記無線通信用パラメータは、拡散コード、周波数、或いは、時間タイミングの少なくとも１つであることを特徴とする請求項７に記載の交換局。
【請求項１２】
前記特定識別情報は、特定電話番号、「ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）」による特定サービスコード、特定ＵＲＬ、或いは、特定メールアドレスであることを特徴とする請求項７に記載の交換局。
【発明の詳細な説明】
【技術分野】
【０００１】
本発明は、移動通信方法及び交換局に関する。
【背景技術】
【０００２】
現在、携帯電話業界では、携帯電話を固定電話の代替として利用促進を図ることで、固定電話市場からの収益確保を狙う「ＦＭＳ（Ｆｉｘｅｄ  Ｍｏｂｌｉｅ  Ｓｕｂｓｔａｔｉｏｎ）サービス」を実現するために、特定ユーザ向けの超小型無線基地局の導入が検討、提案されている。【０００３】
このような特定ユーザ向けのプライベートな超小型無線基地局によって管理されているセルは「フェムトセル」と総称されている。【０００４】
フェムトセルは、既存の公衆通信ネットワークを構成している一般の無線基地局によって管理されているセル（便宜上「マクロセル」と称する）との干渉を回避するために、マクロセルと異なる周波数において運用される場合がある。【０００５】
ＷＣＤＭＡ方式の移動通信システムにおいて、マクロセルに在圏している移動局は、在圏周波数における全ての制御信号の受信品質が一定以下にならない限り、他の周波数における制御信号の測定を行わない。【０００６】
このため、移動局は、高速通信や料金優遇等の理由からフェムトセルに優先的に在圏した方が良い場合において、フェムトセルを発見できずにフェムトセルに在圏することができないという問題が発生する。【０００７】
かかる問題への対応方法として、いくつかの方法が検討されている。【０００８】
その中の１つとして、フェムトセルの「ＰＬＭＮ-ＩＤ（Ｐｕｂｌｉｃ  Ｌａｎｄ  Ｍｏｂｉｌｅ  Ｎｅｔｗｏｒｋ-Ｉｄｅｎｔｉｆｉｅｒ）」とマクロセルの「ＰＬＭＮ-ＩＤ」とを分ける方法が知られている。【０００９】
かかる方法では、フェムトセルの「ＰＬＭＮ-ＩＤ」の優先度をマクロセルの「ＰＬＭＮ-ＩＤ」よりも高くして、移動局に対して、周期的にフェムトセルの周波数における制御信号を測定させることで、フェムトセルを発見させる。【００１０】
但し、移動局が、フェムトセルを迅速に発見するためには、フェムトセルの周波数を測定する間隔を短くする必要がある。かかる場合、移動局の電力消費が問題となる。【００１１】
また、移動局自身が、在圏しているマクロセルのＩＤと位置登録エリアのＩＤとに基づいて、フェムトセルにおける制御信号の測定を行うタイミングを決定する方法についても検討されている。【００１２】
かかる方法では、移動局は、接続権限を有するフェムトセルにオーバーレイしているマクロセルのＩＤや位置登録エリアのＩＤを内部に記憶する。そして、マクロセルから報知されるマクロセルのＩＤ及び位置登録エリアのＩＤが、記憶しているマクロセルのＩＤ及び位置登録エリアのＩＤと一致した場合には、フェムトセルの周波数における制御信号の測定を行う。【００１３】
これによって、移動局がフェムトセルの周波数における制御信号を測定する地域が限定されるため、移動局の電力消費の問題を解決することができる。
【発明の概要】
【発明が解決しようとする課題】
【００１４】
しかしながら、ユーザが購入して設置するというフェムトセルの普及には、既に市場に出回っている移動局をサポートすることが重要となる。【００１５】
この点、上述の方法では、フェムトセルにオーバーレイしているマクロセルのＩＤ及び位置登録エリアのＩＤを移動局内部に記憶したり、記憶しているマクロセルのＩＤ及び位置登録エリアのＩＤと、マクロセルから受信したマクロセルのＩＤ及び位置登録エリアのＩＤと照合したりする等の仕組みが、新たに移動局に必要となる。【００１６】
また、フェムトセルの「ＰＬＭＮ-ＩＤ」とマクロセルの「ＰＬＭＮ-ＩＤ」とを分ける方法については、法制度上の問題から実現可否が不明である。【００１７】
そこで、本発明は、上述の課題に鑑みてなされたものであり、フェムトセルを導入した移動通信システムにおいて、既に市場に出回っている移動局が、在圏周波数と同一の周波数において、フェムトセルを発見することができる移動通信方法及び交換局を提供することを目的とする。
【課題を解決するための手段】
【００１８】
本発明の第１の特徴は、移動通信方法であって、第１無線基地局配下のセルにおいて待ち受けを行っている移動局が、交換局に対して、該移動局の識別情報及び特定識別情報を送信する工程Ａと、前記交換局が、前記特定識別情報を受信した場合に、受信した前記移動局の識別情報及び第２無線基地局の識別情報を、サービス制御局に対して送信する工程Ｂと、前記サービス制御局が、受信した前記移動局の識別情報及び前記第２無線基地局の識別情報に基づいて、該移動局の該第２無線基地局に対するアクセス権の有無を判定する工程Ｃと、前記移動局が、前記第２無線基地局に対するアクセス権を有していると判定された場合、前記交換局が、該第２無線基地局に対して、該第２無線基地局において用いられる無線通信用パラメータを変更するように指示する工程Ｄとを有することを要旨とする。【００１９】
本発明の第１の特徴において、前記工程Ｂにおいて、前記交換局は、前記第２無線基地局が前記第１無線基地局の周辺基地局であるか否かについて判定し、前記交換局は、前記第２無線基地局が前記第１無線基地局の周辺基地局であると判定した場合に、前記移動局の識別情報及び前記第２無線基地局の識別情報を前記サービス制御局に対して送信し、前記交換局は、前記第２無線基地局が前記第１無線基地局の周辺基地局でないと判定した場合に、前記移動局に対して、特定ガイダンスを送信してもよい。【００２０】
本発明の第１の特徴において、前記工程Ｂにおいて、前記交換局は、前記特定識別情報を受信した場合に、受信した前記移動局の識別情報、及び、該特定識別情報或いは前記第１無線基地局の識別情報に対応する前記第２無線基地局の識別情報を、前記サービス制御局に対して送信してもよい。【００２１】
本発明の第１の特徴において、前記工程Ｄにおいて、前記交換局は、前記第２無線基地局に対して、該第２無線基地局において用いられる無線通信用パラメータを、前記第１無線基地局において用いられている無線通信用パラメータと同じにするように指示してもよい。【００２２】
本発明の第１の特徴において、前記無線通信用パラメータは、拡散コード、周波数、或いは、時間タイミングの少なくとも１つであってもよい。【００２３】
本発明の第１の特徴において、前記特定識別情報は、特定電話番号、「ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）」による特定サービスコード、特定ＵＲＬ、或いは、特定メールアドレスであってもよい。【００２４】
本発明の第２の特徴は、交換局であって、第１無線基地局配下のセルにおいて待ち受けを行っている移動局から、特定識別情報を受信した場合に、受信した前記移動局の識別情報及び第２無線基地局の識別情報を、サービス制御局に対して送信するように構成されており、前記サービス制御局から、前記移動局の前記第２無線基地局に対するアクセス権の有無についての判定結果を受信し、前記移動局が前記第２無線基地局に対するアクセス権を有していると判定された場合、該第２無線基地局に対して、該第２無線基地局において用いられる無線通信用パラメータを変更するように指示するように構成されていることを要旨とする。【００２５】
本発明の第２の特徴において、前記第２無線基地局が前記第１無線基地局の周辺基地局であるか否かについて判定するように構成されており、前記第２無線基地局が前記第１無線基地局の周辺基地局であると判定した場合に、前記移動局の識別情報及び前記第２無線基地局の識別情報を前記サービス制御局に対して送信するように構成されており、前記第２無線基地局が前記第１無線基地局の周辺基地局でないと判定した場合に、前記移動局に対して、特定ガイダンスを送信するように構成されていてもよい。【００２６】
本発明の第２の特徴において、前記特定識別情報を受信した場合に、受信した前記移動局の識別情報、及び、該特定識別情報或いは前記第１無線基地局の識別情報に対応する前記第２無線基地局の識別情報を、前記サービス制御局に対して送信するように構成されていてもよい。【００２７】
本発明の第２の特徴において、前記第２無線基地局に対して、該第２無線基地局において用いられる無線通信用パラメータを、前記第１無線基地局において用いられている無線通信用パラメータと同じにするように指示してもよい。【００２８】
本発明の第２の特徴において、前記無線通信用パラメータは、拡散コード、周波数、或いは、時間タイミングの少なくとも１つであってもよい。【００２９】
本発明の第２の特徴において、前記特定識別情報は、特定電話番号、「ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）」による特定サービスコード、特定ＵＲＬ、或いは、特定メールアドレスであってもよい。
【発明の効果】
【００３０】
以上説明したように、本発明によれば、フェムトセルを導入した移動通信システムにおいて、既に市場に出回っている移動局が、在圏周波数と同一の周波数において、フェムトセルを発見することができる移動通信方法及び交換局を提供することができる。
【図面の簡単な説明】
【００３１】
【図１】図１は、本発明の第１の実施形態に係る移動通信システムの全体構成図である。
【図２】図２は、本発明の第１の実施形態に係る交換局の機能ブロック図である。
【図３】図３は、本発明の第１の実施形態に係る交換局の特番情報管理部によって管理されている特番情報の一例を示す図である。
【図４】図４は、本発明の第１の実施形態に係るサービス制御局によって管理されているアクセス情報の一例を示す図である。
【図５】図５は、本発明の第１の実施形態に係る交換局の待受周波数管理部によって管理されている待受周波数情報の一例を示す図である。
【図６】図６は、本発明の第１の実施形態に係る移動通信システムの動作を示すシーケンス図である。
【図７】図７は、本発明の変更例１に係る移動通信システムの全体構成図である。
【発明を実施するための形態】
【００３２】
（本発明の第１の実施形態に係る移動通信システムの構成）
図１乃至図５を参照して、本発明の第１の実施形態に係る移動通信システムの構成について説明する。
【００３３】
図１に示すように、本実施形態に係る移動通信システムは、サービス制御局６００と、交換局５００と、無線制御装置１００と、セキュリティ装置ＳＧＷ（Ｓｅｃｕｒｉｔｙ  Ｇａｔｅｗａｙ）４００と、無線基地局２００乃至２０２とを具備している。
【００３４】
ここで、無線基地局２００乃至２０２は、無線制御装置１００に収容されている。また、無線制御装置１００は、無線基地局２００乃至２０２に対して、かかる無線基地局２００乃至２０２と移動局３００との間の無線通信で用いられる無線通信用パラメータを割り当てたり、当該無線通信用パラメータを管理したりするように構成されている。
【００３５】
なお、無線基地局２０２は、移動通信事業者によって管理されている移動通信事業者ネットワークに設置されている公衆通信用無線基地局であり、無線基地局２００及び２０１は、移動通信事業者によって提供されている通信サービスに加入しているユーザ（無線基地局２００及び２０１のオーナー）の管理下にあるホーム無線基地局である。
【００３６】
例えば、無線基地局２００及び２０１は、上述のユーザによって管理されているＬＡＮ（Ｌｏｃａｌ  Ａｒｅａ  Ｎｅｔｗｏｒｋ）内に設置され、ＦＴＴＨやＡＤＳＬアクセス用事業者のネットワークを介して、移動通信事業者ネットワーク上の無線制御装置１００に接続されている。
【００３７】
一方、ＳＧＷ４００は、移動通信事業者ネットワークの境界線上に設置されている。かかるＳＧＷ４００は、他のネットワークからの不正なアクセスから移動通信事業者ネットワークを守るためのゲートウェイ装置であり、認証手順により正規と認められたアクセスのみを移動通信事業者ネットワークに通すように構成されている。
【００３８】
また、無線基地局２００及び２０１にアクセス可能な移動局は、上述のユーザによりアクセス権が与えられた特定の移動局のみとなる。
【００３９】
一方、無線基地局２０２は、移動通信事業者の管理下に設置されており、かかる移動通信事業者のユーザの移動局であれば、とりわけ制限なく無線基地局２０２にアクセスすることができる。
【００４０】
図１の例では、無線基地局２００乃至２０２は、互いに別々の周波数で、すなわち、周波数＃０乃至＃２で運用中であるものとする。
【００４１】
移動局３００は、上述のユーザによって保持される移動局であり、無線基地局２００乃至２０２と通信可能であるが、各無線基地局２００乃至２０２は、別周波数で運用されているため、移動局３００は、ある１つの無線基地局配下のセルに在圏している状態において、他の無線基地局配下のセルに侵入しても、自律的に当該他方の無線基地局配下のセルをサーチすることができず当該セルに在圏することはできない。
【００４２】
交換局５００は、無線制御装置１００とサービス制御局６００とに接続されているパケット通信用交換機或いは回線交換用交換機である。
【００４３】
図２に示すように、交換局５００は、特定識別情報管理部１１と、特定識別情報受信部１２と、周辺無線基地局判定部１３と、ガイダンス情報送信部１４と、アクセス権確認部１５と、待受周波数管理部１６と、通知部１７とを具備している。
【００４４】
特定識別情報管理部１１は、図３に示すように、「特定識別情報」と「無線基地局ＩＤ」と「周辺無線基地局ＩＤ」とを関連付けて記憶するように構成されている。
【００４５】
「特定識別情報」は、ホーム無線基地局である無線基地局２００及び２０１（第２無線基地局）配下のセルでの待ち受けを望む移動局３００によって通知される特定識別情報である。例えば、かかる特定識別情報としては、特定電話番号、「ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）」による特定サービスコード、特定ＵＲＬ、或いは、特定メールアドレス等が想定される。
【００４６】
「周辺無線基地局ＩＤ」は、「無線基地局ＩＤ」によって特定される無線基地局の周辺無線基地局を特定するための情報である。
【００４７】
特定識別情報受信部１２は、公衆無線基地局である無線基地局２０２（第１無線基地局）配下のセルにおいて待ち受けを行っている移動局３００によって送信された特定識別情報を受信するように構成されている。
【００４８】
周辺無線基地局判定部１３は、特定識別情報検知部１２によって移動局３００によって送信された特定識別情報が受信された場合に、特定識別情報管理部１１を参照して、かかる特定識別情報に対応する第２無線基地局（例えば、ホーム無線基地局である無線基地局２００及び２０１）が、移動局３００が現在在圏している第１無線基地局（公衆無線基地局である無線基地局２０２）の周辺無線基地局であるか否かについて判定するように構成されている。
【００４９】
アクセス権確認部１５は、かかる特定識別情報に対応する第２無線基地局が、移動局３００が現在在圏している第１無線基地局の周辺基地局であると判定した場合に、サービス制御局６００に対して、かかる移動局の識別情報及び当該特定識別情報に対応する第２無線基地局の識別情報を送信することによって、移動局３００の当該特定識別情報に対応する第２無線基地局に対するアクセス権の有無の判定結果を取得するように構成されている。
【００５０】
なお、アクセス権確認部１５は、サービス制御局６００から受信した判定結果に基づいて、図４に示すように、「移動局」と「接続可能無線基地局」とを関連付けるアクセス権テーブルを管理するように構成されていてもよい。
【００５１】
なお、特定識別情報を１つしか設定できない場合、特定識別情報管理部１１は、「第１無線基地局ＩＤ」と「第２無線基地局ＩＤ」とを関連付けて記憶し、アクセス権確認部１５は、サービス制御局６００に対して、かかる移動局３００の識別情報、及び、移動局３００が現在在圏している第１無線基地局の識別情報（「第１無線基地局ＩＤ」）に対応する無線基地局の識別情報（「第２無線基地局ＩＤ」）を、当該特定識別情報に対応する第２無線基地局の識別情報として送信するように構成されていてもよい。
【００５２】
ガイダンス情報送信部１４は、上述の特定識別情報に対応する第２無線基地局が、移動局３００が現在在圏している第１無線基地局の周辺基地局でないと判定した場合に、移動局３００に対して、特定ガイダンスを送信するように構成されている。
【００５３】
また、ガイダンス情報送信部１４は、サービス制御局６００から受信した判定結果において、移動局３００が当該特定識別情報に対応する第２無線基地局に対するアクセス権を有していないと判定された場合、移動局３００に対して、特定ガイダンスを送信するように構成されている。
【００５４】
待受周波数管理部１６は、図５に示すように、「無線基地局ＩＤ」と「待受周波数」とを関連付けて記憶するように構成されている。ここで、「待受周波数」は、「無線基地局ＩＤ」によって特定される無線基地局に在圏するための待ち受け周波数である。
【００５５】
通知部１７は、サービス制御局６００から受信した判定結果において、移動局３００が当該特定識別情報に対応する第２無線基地局に対するアクセス権を有していると判定された場合、第２無線基地局に対して、第２無線基地局において用いられる無線通信用パラメータを変更するように指示するように構成されている。
【００５６】
具体的には、通知部１７は、サービス制御局６００から受信した判定結果において、移動局３００が当該特定識別情報に対応する第２無線基地局に対するアクセス権を有していると判定された場合、第２無線基地局に対して、当該第２無線基地局において用いられる無線通信用パラメータを、当該第１無線基地局において用いられている無線通信用パラメータと同じにするように指示するように構成されている。
【００５７】
ここで、無線通信用パラメータは、拡散コード、周波数、或いは、時間タイミングの少なくとも１つであることが想定される。
【００５８】
サービス制御局６００は、加入者情報を格納するように構成されている。サービス制御局６００は、交換局５００と接続されており、図４に示すように、各移動局３００の接続可能な無線基地局の情報を格納するように構成されている。
【００５９】
（本発明の第１の実施形態に係る移動通信システムの動作）
図６を参照して、本発明の第１の実施形態に係る移動通信システムの動作について説明する。
【００６０】
図６に示すように、移動局３００を保持するオーナーが、フェムトサービスに契約した際（すなわち、ホーム無線基地局を購入した際）に、ステップＳ１０００において、各無線基地局２００及び２０１に在圏するための通知すべき特定識別情報（例えば、特定の電話番号）が、移動局３００に対して配布され、ステップＳ１００１において、かかる特定識別情報が、交換局５００に対して配布される。
【００６１】
図６の例では、無線基地局２００に在圏するために通知すべき特定識別情報として「２００」が配布され、無線基地局２０１に在圏するために通知すべき特定識別情報として「２０１」が配布されるものとする。
【００６２】
ステップＳ１００２において、移動局３００が、無線基地局２０２配下のセルに在圏している（すなわち、待受周波数＃２で動作している）際に、オーナーは、ステップＳ１００３において、例えば、家屋に帰宅して、無線基地局２００配下のセルに進入し、ステップＳ１００４において、特定識別情報２００を用いた発信操作を行う。
【００６３】
ステップＳ１００５において、交換局５００は、特定識別情報２００と移動局の識別情報３００と在圏無線基地局の識別情報２０２とを、無線基地局２０２及び無線制御装置１００を介して受信する。
【００６４】
ステップＳ１００６において、交換局５００は、特定識別情報管理部１１を参照して、特定識別情報２００に対応する無線基地局２００が、移動局３００が現在在圏している無線基地局２０２の周辺無線基地局であるか否かについて判定する。
【００６５】
無線基地局２００が、無線基地局２０２の周辺無線基地局でないと判定された場合、ステップＳ１００７において、交換局５００は、無線制御装置１００及び無線基地局２０２を介して、移動局３００に対して、無線基地局２００における待ち受けが不可能である旨を示す特定ガイダンスを通知して、本動作は終了する。
【００６６】
一方、無線基地局２００が、無線基地局２０２の周辺無線基地局であると判定された場合、ステップＳ１００８において、交換局５００は、特定識別情報２００に対応する無線基地局の識別情報２００及び移動局の識別情報３００を、サービス制御局６００に送信する。
【００６７】
ステップＳ１００９において、サービス制御局６００は、図５に示すアクセス権テーブルを参照して、移動局３００の無線基地局２００に対するアクセス権の有無を判定する。
【００６８】
移動局３００の無線基地局２００に対するアクセス権がないと判定された場合、ステップＳ１０１０において、サービス制御局６００は、交換局５００に対して、その旨を示す判定結果（ＮＧ）を通知し、ステップＳ１０１０において、交換局５００は、無線制御装置１００及び無線基地局２０２を介して、移動局３００に対して、無線基地局２００における待ち受けが不可能である旨を示す特定ガイダンスを通知して、本動作は終了する。
【００６９】
一方、移動局３００の無線基地局２００に対するアクセス権があると判定された場合、ステップＳ１０１２において、サービス制御局６００は、交換局５００に対して、その旨を示す判定結果（ＯＫ）を通知し、ステップＳ１０１３において、交換局５００は、待受周波数管理部１６を参照して、無線基地局２００に移動局３００が在圏するための待受周波数（無線基地局２０２において用いられている待受周波数）＃２を取得し、ステップＳ１０１４において、無線基地局２００に対して、無線制御装置１００を介して、かかる待受周波数＃２を通知する。
【００７０】
ここで、交換局５００は、図５に示す待受周波数管理部１６において、無線基地局２００に対応する待受周波数を「＃０」から「＃２」に変更する。
【００７１】
なお、交換局５００は、無線基地局２００配下のセルにおいて、待受周波数＃０で待ち受けを行っている移動局或いは通信を行っている移動局が存在する場合、無線基地局２００に対して、無線制御装置１００を介して、かかる待受周波数＃２を通知しなくてもよい。
【００７２】
ステップＳ１０１５において、待受周波数＃２が通知された無線基地局２００は、待受周波数を「＃０」から「＃２」に変更する。
【００７３】
この結果、移動局ＵＥは、現在在圏している無線基地局２０２配下のセルと同一の周波数＃２において、ホーム無線基地局である無線基地局２００配下のセル（フェムトセル）における制御信号を受信して測定することができる。
【００７４】
（本発明の第１の実施形態に係る移動通信システムの作用・効果）
本発明の第１の実施形態に係る移動通信システムによれば、ホーム無線基地局配下のセルに進入した際に、オーナー自らフェムトセルの待受周波数への遷移を指示するための特定識別情報を定義することにより、待受セルにおける制御信号の受信品質が一定値以下にならない限り、他の周波数セルをサーチしないような既存の移動局においても、高速通信や料金優遇等の実現を期待できるフェムトセルに優先的に在圏することができる。
【００７５】
（変更例）
上述の実施形態では、Ｗ-ＣＤＭＡ方式の移動通信システムを例に挙げて説明されているが、本発明は、かかる移動通信システムに限定されるものではなく、例えば、図７に示すように、ＬＴＥ（Ｌｏｎｇ  Ｔｅｒｍ  Ｅｖｏｌｕｔｉｏｎ）方式の移動通信システムにも適用可能である。
【００７６】
かかる場合、上述の無線制御局１００の機能は、無線基地局ｅＮＢ（無線基地局２０２）又は交換局ＭＭＥ（交換局５００）に搭載されることになる。
【００７７】
すなわち、ＬＴＥ方式の移動通信システムでは、無線制御局１００が存在しないため、無線基地局２００乃至２０２と交換局５００との間で、直接信号が送受信されることになる。
【００７８】
なお、上述の第１の実施形態に係る移動通信システム又は変更例に係る移動通信システムにおいて、サービス制御局６００の機能の一部（例えば、移動局３００の無線基地局２００又は２０１に対するアクセス権の有無を判定する機能）は、交換局５００に設けられていてもよい。
【００７９】
また、上述の変更例に係る移動通信システムにおいて、交換局５００の機能１１乃至１７の一部又は全部は、無線基地局２００内に設けられていてもよい。
【００８０】
さらに、セキュリティ装置ＳＧＷ４００は、ホーム無線基地局である無線基地局２００及び２０１を集約する集約装置ＨＮＢ-ＧＷの機能を具備するものであってもよい。
【００８１】
かかる場合、上述の第１の実施形態に係る移動通信システム又は変更例に係る移動通信システムにおいて、交換局５００及びサービス制御局６００の機能の一部又は全部が、かかるセキュリティ装置ＳＧＷ４００内に設けられていてもよい。
【００８２】
なお、上述の無線基地局２００乃至２０２や無線制御装置１００や交換局５００やサービス制御局６００やゲートウェイ装置ＳＧＷ４００の動作は、ハードウェアによって実施されてもよいし、プロセッサによって実行されるソフトウェアモジュールによって実施されてもよいし、両者の組み合わせによって実施されてもよい。
【００８３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局２００乃至２０２や無線制御装置１００や交換局５００やサービス制御局６００やゲートウェイ装置ＳＧＷ４００内に設けられていてもよい。また、かかる記憶媒体及びプロセッサは、ディスクリートコンポーネントとして無線基地局２００乃至２０２や無線制御装置１００や交換局５００やサービス制御局６００やゲートウェイ装置ＳＧＷ４００内に設けられていてもよい。
【００８５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2009145304.tif 000003
【図２】
2009145304.tif 000004
【図３】
2009145304.tif 000005
【図４】
2009145304.tif 000006
【図５】
2009145304.tif 000007
【図６】
2009145304.tif 000008
【図７】
2009145304.tif 000009
【国際調査報告】
2009145304.tif 000010
2009145304.tif 000011